(57)【要約】【課題】変形包装箱の調達・管理の手間やコストを削減し、梱包作業性を改善する。【解決手段】周壁を形成する側板１，２，３，４を連設したブランクから成り、その両側縁部を接合して端面を閉止する四角箱形態と、両側の側板１，４を重ね合わせて端面を閉止する三角箱形態とに変形できる包装箱において、前記側板１から四角形の蓋板６及び差込片７を順次設けた蓋部材５を延出し、蓋部材５の蓋板６と差込片７の境界部に切目線８を入れると共に、蓋部材５の基端側部から切目線８の中央側へ向けて斜め方向に折目線９を入れ、四角箱形態では、蓋板６を四角形のまま閉じて、差込片７を周壁の内面沿いに差し込み、三角箱形態では、蓋部材５の切目線８より先端側部分を切除して、折目線９沿いに蓋板６を折り曲げ、三角形とした蓋板６を閉じて、折目線９の先端側に形成される差込部６ａを周壁の内面沿いに差し込むようにする。【選択図】図３
2008297006.tif 000002
【特許請求の範囲】
【請求項１】
周壁を形成する側板(1,2,3,4)を連設したブランクから成り、その両側縁部を接合して端面を閉止する四角箱形態と、両側の側板(1,4)を重ね合わせて端面を閉止する三角箱形態とに変形できる包装箱において、
前記側板(1)から四角形の蓋板(6)及び差込片(7)を順次設けた蓋部材(5)を延出し、蓋部材(5)の蓋板(6)と差込片(7)の境界部に切目線(8)を入れると共に、蓋部材(5)の基端側部から切目線(8)の中央側へ向けて斜め方向に折目線(9)を入れ、四角箱形態では、蓋板(6)を四角形のまま閉じて、差込片(7)を周壁の内面沿いに差し込み、三角箱形態では、蓋部材(5)の切目線(8)より先端側部分を切除して、折目線(9)沿いに蓋板(6)を折り曲げ、三角形とした蓋板(6)を閉じて、折目線(9)の先端側に形成される差込部(6a)を周壁の内面沿いに差し込むようにしたことを特徴とする変形包装箱。
【発明の詳細な説明】
【技術分野】
【０００１】
この発明は、内容物の量や形状に応じて、四角箱としても三角箱としても使用できる変形包装箱に関するものである。
【背景技術】
【０００２】
例えば、通信販売の商品配送等において、図４（ａ）に示すように、周壁を形成する側板５１，５２，５３，５４を連設したブランクから成り、その両側縁部を接合し、別体の四角形状の蓋部材５５を端面に被せる四角箱形態と、図４（ｂ）に示すように、両側の側板５１，５４を重合固着し、別体の三角形状の蓋部材５６を端面に被せる三角箱形態とに変形可能な包装箱が使用されている。
【発明の開示】
【発明が解決しようとする課題】
【０００３】
しかしながら、上記のような包装箱では、二種類の蓋部材を用意しておく必要があるほか、蓋部材の固着に要する粘着テープの使用量が多く、包装材料の調達コストや管理の手間がかかり、また、梱包作業性もあまりよくないという問題がある。
【０００４】
そこで、この発明は、包装材料の調達・管理の手間やコストを削減でき、梱包作業性にも優れた変形包装箱を提供することを課題とする。
【課題を解決するための手段】
【０００５】
上記課題を解決するため、この発明は、周壁を形成する側板を連設したブランクから成り、その両側縁部を接合して端面を閉止する四角箱形態と、両側の側板を重ね合わせて端面を閉止する三角箱形態とに変形できる包装箱において、前記側板から四角形の蓋板及び差込片を順次設けた蓋部材を延出し、蓋部材の蓋板と差込片の境界部に切目線を入れると共に、蓋部材の基端側部から切目線の中央側へ向けて斜め方向に折目線を入れ、四角箱形態では、蓋板を四角形のまま閉じて、差込片を周壁の内面沿いに差し込み、三角箱形態では、蓋部材の切目線より先端側部分を切除して、折目線沿いに蓋板を折り曲げ、三角形とした蓋板を閉じて、折目線の先端側に形成される差込部を周壁の内面沿いに差し込むようにしたのである。
【発明の効果】
【０００６】
この変形包装箱では、周壁を形成する側板と蓋部材とが一体化されており、蓋部材が四角箱形態と三角箱形態とに兼用されるので、二種類の蓋部材を調達して、その在庫を管理する必要がない。
【０００７】
また、封緘に際し、蓋部材の基端を側板に貼着する必要がないため、粘着テープの使用量も削減でき、包装資材の調達・管理に要する手間やコストを削減することができる。
【０００８】
また、四角箱形態においても、三角箱形態においても、蓋板の先端の差込片又は差込部を周壁の内面沿いに差し込むことにより、簡単に端面を閉止して、封緘することができ、組立形状を確実に保持することができる。
【発明を実施するための最良の形態】
【０００９】
以下、この発明の実施形態を添付図面に基づいて説明する。
【００１０】
この変形包装箱は、図１に示すような１枚の段ボール製のブランクから形成される。このブランクでは、周壁を形成する長方形の側板１，２，３，４が長辺となる押罫を介して順次連設され、側板１の両端に、短辺となる押罫を介して蓋部材５が連設されている。
【００１１】
蓋部材５には、側板１側から蓋板６及び差込片７が順次設けられ、蓋板６は、一辺の長さが側板１の短辺の長さよりも少し長い正方形状の四角形とされている。
【００１２】
蓋板６と差込片７の境界部には、ミシン目状の切目線８が入れられ、その中間部はＶ字状に蓋板６に切れ込み、両端部は、蓋板６の角部を斜めに横切っている。蓋板６には、蓋部材５の基端両側から切目線８の中央側へかけて、斜め方向に２本の押罫から成る折目線９が入れられている。
【００１３】
また、蓋板６の先端及び一方の折目線９沿いには、係止突起１０ａ、１０ｂがそれぞれコ字状の切込を入れて設けられ、側板３の両端縁は、側板１，２，４の両端縁より少し迫り出し、側板３の両端縁には、切欠により係止凹部１１が設けられている。
【００１４】
いま、図１のブランクを四角形箱に組み立てて、商品を梱包するには、図２（ａ）に示すように、側板１，２，３，４を折り曲げて四角筒状の周壁を形成し、側板１，４の側縁部を粘着テープで接合する。
【００１５】
そして、図２（ｂ）に示すように、蓋板６を四角形のまま閉じて、差込片７を周壁の内面沿いに差し込み、蓋板６と側板３とに亘り粘着テープを貼着して封緘する。
【００１６】
このように封緘すると、係止突起１０ａと係止凹部１１の係合により、周壁と蓋部材５の相互のずれや蓋板６の入り込みが防止されて、組立形状が堅固に保持される。
【００１７】
また、開封する際、粘着テープを剥がし、係止突起１０ａに指を掛けて、蓋板６を容易に開くことができる。
【００１８】
一方、図１のブランクを三角形箱に組み立てて、商品を梱包するには、図３（ａ）に示すように、側板１，２，３，４を両側の側板１，４が重なるように折り曲げて、三角筒状の周壁を形成し、側板２，４の稜部に粘着テープを貼り付けることにより、側板１，４を重ね合わせた状態で固着する。
【００１９】
そして、蓋部材５の切目線８より先端側部分を切除して、折目線９沿いに蓋板６を折り曲げ、図３（ｂ）に示すように、三角形とした蓋板６を閉じて、折目線９の先端側に形成された差込部６ａを周壁の内面沿いに差し込み、蓋板６と側板２，３とに亘り粘着テープを貼着して封緘する。
【００２０】
このとき、切目線８での切断に伴い、差込部６ａは、先細りテーパ状の差し込みやすい形状となり、封緘作業を容易に行うことができる。
【００２１】
そして、このように封緘すると、係止突起１０ｂと係止凹部１１の係合により、周壁と蓋部材５の相互のずれや蓋板６の入り込みが防止されて、組立形状が堅固に保持される。
【００２２】
また、開封する際、粘着テープを剥がし、係止突起１０ｂに指を掛けて、蓋板６を容易に開くことができる。
【００２３】
上記のような包装箱では、周壁を形成する側板１，２，３，４と蓋部材５とが一体化されており、蓋部材５が四角箱形態と三角箱形態とに兼用されるので、上述の従来のもののように、二種類の蓋部材を調達して、その在庫を管理する必要がない。
【００２４】
また、封緘に際し、蓋部材５の基端を側板１に貼着する必要がないため、粘着テープの使用量も削減でき、包装資材の調達・管理に要する手間やコストを削減できる。
【００２５】
また、四角箱形態においても、三角箱形態においても、蓋板６の先端の差込片７又は差込部６ａを周壁の内面沿いに差し込むことにより、簡単に端面を閉止して、封緘することができ、組立形状を確実に保持することができる。
【００２６】
そして、商品の量や形状に応じて、四角箱形態と三角箱形態とを適宜選択することにより、箱内に極力無駄なスペースが生じないようにして、商品の配送時における輸送効率を向上させることができる。
【００２７】
なお、上記実施形態では、三角箱形態において、側板２，４の稜部に粘着テープを貼り付けることにより、側板１，４を重ね合わせた状態で固着するものを例示したが、側板４の先端に設けた差込片を側板１の基部に設けたスリットに差し込む等の手段により、側板１，４を係合させるようにしてもよい。
【００２８】
また、蓋部材５に入れた２本の折目線９のうち、１本を折目線９に替えて切目線とし、三角箱形態において、その先端側部分を切断することにより、差込部６ａが蓋板６の一方にのみ形成されるようにしても、封緘することができる。
【図面の簡単な説明】
【００２９】
【図１】この発明の実施形態に係る変形包装箱のブランクを示す図
【図２】（ａ）同上の四角箱形態の閉蓋過程を示す端部斜視図、（ｂ）同上の閉蓋状態を示す端部斜視図
【図３】（ａ）同上の三角箱形態の閉蓋過程を示す端部斜視図、（ｂ）同上の閉蓋状態を示す端部斜視図
【図４】（ａ）従来の変形包装箱の四角箱形態の閉蓋過程を示す端部斜視図、（ｂ）同上の三角箱形態の閉蓋過程を示す端部斜視図
【符号の説明】
【００３０】
１，２，３，４  側板
５  蓋部材
６  蓋板
６ａ  差込部
７  差込片
８  切目線
９  折目線
１０ａ，１０ｂ  係止突起
１１  係止凹部
【図１】
2008297006.tif 000003
【図２】
2008297006.tif 000004
【図３】
2008297006.tif 000005
【図４】
2008297006.tif 000006